(57)【要約】  アンテナ特性が向上すると共に、容易かつ迅速にアンテナモジュールを筐体内に収納することができ、しかも、筐体の内部に収納できる装置の収納容量に影響を与えないアンテナモジュール収納構造を提供する。このために本発明では、側板３１ａに溝穴４０が形成されている。溝穴４０は間口４０ａを側板３１ａの上端面に有する。間口４０ａは、側板３１ａの厚さＴより薄くて基板３３の厚さｔを収容する幅Ｗ、および、基板３３の一辺の長さａを収容する長さＬを有する。ＲＦアンテナモジュール３２は、側板３１ａの上端面に形成された溝穴４０の間口４０ａに基板３３の一辺を差し入れ、基板３３の他辺の長さｂ以上、基板３３を溝穴４０に差し込むことで、筐体３１の側板３１ａ内に形成された溝穴４０に収められて、筐体３１内に収納される。
2016059961.tif 000002
【特許請求の範囲】
【請求項１】
基板にアンテナが形成されて構成されるアンテナモジュールが筐体の側板内に形成された溝穴に収められて前記筐体内に収納されるアンテナモジュール収納構造。
【請求項２】
前記基板は前記側板の厚さよりも薄い厚さをしており、
前記溝穴は、前記側板の厚さより薄くて前記基板の厚さを収容する幅および前記基板の一辺の長さを収容する長さをした間口を前記側板の端面に有し、前記基板の他辺の長さ以上の深さを有することを特徴とする請求項１に記載のアンテナモジュール収納構造。
【請求項３】
前記溝穴は、前記側板における前記アンテナモジュールの配置位置に応じて深さが設定されることを特徴とする請求項１または請求項２に記載のアンテナモジュール収納構造。
【請求項４】
前記側板は、前記筐体の内部に臨む前記溝穴後方の背面側が切り欠かれ、前記溝穴は、収納した前記アンテナモジュールの一部を前記筐体の内部に露出させる開口部が形成されていることを特徴とする請求項１から請求項３のいずれか１項に記載のアンテナモジュール収納構造。
【請求項５】
前記アンテナは、前記筐体の外部に露出する前記側板の正面前方に電波を放射する正面方向放射アンテナと、前記側板の横方向に電波を放射する横方向放射アンテナとから構成されることを特徴とする請求項１から請求項４のいずれか１項に記載のアンテナモジュール収納構造。
【請求項６】
前記側板は、前記筐体の外部に露出する前記溝穴前方の正面側の肉厚が前記筐体の内部側で削がれて薄く形成されていることを特徴とする請求項１から請求項５のいずれか１項に記載のアンテナモジュール収納構造。
【請求項７】
前記側板は、前記筐体の外部に露出する前記溝穴前方の正面側の肉厚が前記筐体の外部側で削がれて薄く形成されていることを特徴とする請求項１から請求項５のいずれか１項に記載のアンテナモジュール収納構造。
【発明の詳細な説明】
【技術分野】
【０００１】
本発明は、基板にアンテナが形成されて構成されるアンテナモジュールを筐体内に収納するアンテナモジュール収納構造に関するものである。
【背景技術】
【０００２】
従来、この種のアンテナモジュール収納構造としては、例えば、特許文献１に開示された図１に示される構造がある。ミリ波の電波を送受信する送受信アンテナ１はケーシング２の中に納められており、送受信アンテナ１の前面には、石はねや雨等から送受信アンテナ１を保護するレドーム３が取り付けられている。アンテナユニット１１は金属ブラケット１６により車両に設置されるが、金属ブラケット１６の下部には、アンテナユニット１１の前面から突出する遮蔽部材４が設けられている。【０００３】
また、特許文献２には、図２に示される、回路基板７とアンテナコイル８とから構成される電子回路モジュールを樹脂ケース９内に収納する収納構造が開示されている。回路基板７にはＩＣチップ６が実装されており、アンテナコイル８は、回路基板７に接続されて情報を電波として送受信する。電子回路モジュールは、樹脂ケース９に設けられた細長い溝にスリット１０から挿入されて、樹脂ケース９内に収納される。【０００４】
また、特許文献３には、図３に示される、アンテナモジュール２０がケース２１に一体成形されたアンテナモジュール収納構造が開示されている。アンテナモジュール２０は、複数の主体層１００が成形モールドに開設されたキャビティに入れられる前に、主体層１００の表層１０１下に設置される。その後、樹脂に浸された主体層１００とアンテナモジュール２０とがキャビティに一緒に入れられ、加圧加熱されることにより、アンテナモジュール２０はケース２１に一体成形される。
【先行技術文献】
【特許文献】
【０００５】
【特許文献１】特開２００４−２５８０４４号公報
【特許文献２】特開２００１−２４３４４３号公報
【特許文献３】登録実用新案第３１３８５０３号公報
【発明の概要】
【発明が解決しようとする課題】
【０００６】
しかしながら、上記従来の特許文献１に開示されたアンテナモジュール収納構造においては、レドーム３に送受信アンテナ１を取り付ける際、両面接着テープなどで送受信アンテナ１の前面をレドーム３の背面に固定する必要がある。このため、送受信アンテナ１とレドーム３との間に両面接着テープなどの分だけ隙間が空いてしまい、送受信アンテナ１からレドーム３を介してレドーム３の正面前方へ放射される電波の強さが弱まり、アンテナ特性が低下する。【０００７】
また、上記従来の特許文献２に開示されたアンテナモジュール収納構造は、樹脂ケース９に設けられた細長い溝に、回路基板７とアンテナコイル８とが一体化したアンテナモジュールが内蔵される構造となっている。このため、樹脂ケース９内には、このアンテナモジュール以外の他の装置を収納することは困難である。【０００８】
また、上記従来の特許文献３に開示されたアンテナモジュール収納構造は、アンテナモジュール２０をケース２１に一体化して収納する構造となっている。このため、樹脂に浸された主体層１００とアンテナモジュール２０とを成形モールドに開設されたキャビティに一緒に入れて加圧加熱し、アンテナモジュール２０をケース２１に一体成形する必要がある。したがって、アンテナモジュール２０をケース２１に一体化して収納するのに、多くの工程が必要となり、簡易に収納することはできない。
【課題を解決するための手段】
【０００９】
本発明はこのような課題を解決するためになされたもので、基板にアンテナが形成されて構成されるアンテナモジュールが筐体の側板内に形成された溝穴に収められて筐体内に収納されるアンテナモジュール収納構造を構成した。【００１０】
本構成によれば、筐体の側板内に形成された溝穴に単にアンテナモジュールを収めるだけで、アンテナモジュールは筐体内に収納される。このため、従来のように、アンテナモジュールを筐体内に収めるために、アンテナモジュールを両面接着テープなどで筐体内の側板に固定する必要はなくなる。したがって、アンテナと側板との間に両面接着テープなどによって隙間が空かなくなり、アンテナから側板を介して側板の前方へ放射される電波の強さは隙間によって弱まることがなく、アンテナ特性は向上する。【００１１】
また、溝穴に単にアンテナモジュールを収めるだけで、アンテナモジュールは筐体内に収納されるので、アンテナモジュールを筐体内に取り付ける工数は減る。このため、従来のように、成形モールドに開設されたキャビティにアンテナモジュールを入れて樹脂で一体成形するような工数をかけることなく、容易かつ迅速にアンテナモジュールを筐体内に収納することができる。【００１２】
また、アンテナモジュールは筐体の側板内に形成された溝穴に収められ、筐体の内部空間に張り出さないため、筐体の内部に収納できる装置の収納容量に影響を与えることはない。このため、従来のように、アンテナモジュールを筐体内に収容することで、アンテナモジュール以外の他の装置を収納することができなくなるといった問題は生じない。【００１３】
また、本発明は、基板が側板の厚さよりも薄い厚さをしており、
溝穴が、側板の厚さより薄くて基板の厚さを収容する幅および基板の一辺の長さを収容する長さをした間口を側板の端面に有し、基板の他辺の長さ以上の深さを有することを特徴とする。【００１４】
本構成によれば、側板の端面に形成された溝穴の間口に基板の一辺を差し入れ、基板の他辺の長さ以上基板を溝穴に差し込むことで、アンテナモジュールは筐体の側板内に形成された溝穴に容易かつ迅速に収められる。【００１５】
また、本発明は、側板におけるアンテナモジュールの配置位置に応じて溝穴の深さが設定されることを特徴とする。【００１６】
本構成によれば、アンテナモジュールを溝穴の深さまで差し込んで溝穴に単に収めるだけで、アンテナモジュールは溝穴の深さ方向における所定の配置位置に収納される。このため、アンテナモジュールを側板に取り付ける溝穴の深さ方向の位置は、アンテナモジュールを溝穴に収める工程を行うだけで自動的に位置決めされ、アンテナモジュールの筐体への組み付けは容易化される。【００１７】
また、本発明は、筐体の内部に臨む溝穴後方の側板の背面側が切り欠かれ、収納したアンテナモジュールの一部を筐体の内部に露出させる開口部が溝穴に形成されていることを特徴とする。【００１８】
本構成によれば、溝穴に形成された開口部に露出するアンテナモジュールの一部を、溝穴前方の側板の正面側へ板などで押し付けることで、または板などに接着することで、アンテナモジュールは溝穴内部でその位置が固定される。また、アンテナモジュールをこのように固定することで、アンテナモジュールに発生する熱を板などから逃がすことができる。【００１９】
また、本発明は、アンテナが、筐体の外部に露出する側板の正面前方に電波を放射する正面方向放射アンテナと、側板の横方向に電波を放射する横方向放射アンテナとから構成されることを特徴とする。【００２０】
アンテナモジュールを両面接着テープなどで側板の背面に固定して筐体内に収納する従来のアンテナモジュール収納構造では、横方向放射アンテナが形成される基板の側端前方には側板が存在し、基板の側端後方には空間が存在する。このため、基板の側端の前後には基板の側端を中心に誘電率が異なる物質が非対称に存在する。したがって、横方向放射アンテナから側板の横方向に放射される電波は、側板の横方向に沿って直進せず、側板の前後方向に偏って伝播する。【００２１】
しかし、基板が側板に形成された溝穴に収納される本構成によれば、横方向放射アンテナが形成される基板の側端の前後には側板が等しく存在し、基板の側端を中心に誘電率が同じ物質が対称に存在する。したがって、横方向放射アンテナから側板の横方向に放射される電波は、側板の前後方向に偏り難くなり、側板の横方向に沿って伝播する成分が増加する。この結果、横方向放射アンテナの横方向アンテナ特性が向上する。【００２２】
また、本発明は、筐体の外部に露出する溝穴前方の正面側の側板の肉厚が筐体の内部側で削がれて薄く形成されていることを特徴とする。【００２３】
本構成によれば、溝穴前方の側板の正面側の肉厚を筐体の内部側で削ぐ量を調節し、基板の前面に形成されたアンテナと基板の前方に存在する側板との間の距離、および、基板の前方に存在する側板の厚さを調整することで、基板の前面に形成されたアンテナが側板の正面前方へ放射する電波のビーム幅および放射電力レベルを所望のものに設定することができ、アンテナ特性が良好なものとなる。【００２４】
また、本発明は、筐体の外部に露出する溝穴前方の正面側の側板の肉厚が筐体の外部側で削がれて薄く形成されていることを特徴とする。【００２５】
本構成によれば、溝穴前方の側板の正面側の肉厚を筐体の外部側で削ぐ量を調節し、基板の前面に形成されたアンテナの前方に存在する側板の厚さを調整することで、基板の前面に形成されたアンテナが側板の正面前方へ放射する電波のビーム幅および放射電力レベルを所望のものに設定することができ、アンテナ特性が良好なものとなる。
【発明の効果】
【００２６】
本発明によれば、アンテナ特性が向上すると共に、容易かつ迅速にアンテナモジュールを筐体内に収納することができ、しかも、筐体の内部に収納できる装置の収納容量に影響を与えないアンテナモジュール収納構造を提供することができる。
【図面の簡単な説明】
【００２７】
【図１】従来の第１のアンテナモジュール収納構造を示す一部破断斜視図である。
【図２】従来の第２のアンテナモジュール収納構造を示す斜視図である。
【図３】従来の第３のアンテナモジュール収納構造を示す断面図である。
【図４】（ａ）は、本発明の各実施の形態によるアンテナモジュール収納構造が適用される筐体の外観斜視図、（ｂ）は、（ａ）に示される筐体に収納されるＲＦアンテナモジュールの平面図、（ｃ）はＲＦアンテナモジュールの側面図である。
【図５】（ａ）は、本発明の第１の実施の形態によるアンテナモジュール収納構造でＲＦアンテナモジュールを側板に収納する際に各部品を側板の背面側から見た一部拡大斜視図、（ｂ）は、第１の実施の形態によるアンテナモジュール収納構造を示す平面図、（ｃ）は、従来のアンテナモジュール収納構造を示す平面図である。
【図６】（ａ）は、パッチアンテナの正面方向アンテナ放射パターンを実施の形態と従来とで比較する指向性図、（ｂ）は、ダイポールアンテナの横方向アンテナ放射パターンを実施の形態と従来とで比較する指向性図である。
【図７】（ａ）は、本発明の第２の実施の形態によるアンテナモジュール収納構造を示す平面図、（ｂ）は、本発明の第３の実施の形態によるアンテナモジュール収納構造を示す平面図である。
【図８】各実施の形態によるアンテナモジュール収納構造の変形例において、ＲＦアンテナモジュールを側板に収納する際に各部品を側板の背面側から見た一部拡大斜視図である。
【発明を実施するための形態】
【００２８】
次に、本発明のアンテナモジュール収納構造を実施するための形態について、説明する。
【００２９】
図４（ａ）は、本発明の各実施の形態によるアンテナモジュール収納構造が適用される筐体３１の外観斜視図である。筐体３１は樹脂製で中空の箱状をしており、６面体の各面には長方形状の側板が形成されている。筐体３１の正面に位置する側板３１ａ内には、各実施の形態のアンテナモジュール収納構造によってＲＦアンテナモジュール３２が収納される。
【００３０】
同図（ｂ）はＲＦアンテナモジュール３２の平面図、同図（ｃ）は側面図である。ＲＦアンテナモジュール３２はアンテナ付き通信モジュールであり、基板３３にアンテナが形成されて構成される。基板３３の前面には、複数個のパッチアンテナ３４が正面方向放射アンテナとして形成されており、基板３３の両側端には、複数個のダイポールアンテナ３５が横方向放射アンテナとして形成されている。また、基板３３の裏面には金属ケース３６が装荷されており、この金属ケース３６内の基板３３の裏面には、ＲＦ部を構成する高周波デバイスが実装されている。ＲＦ部は、筐体３１に内蔵される図示しないベースバンド（ＢＢ）ＩＣカードにケーブルで接続される。
【００３１】
図５（ａ）は、本発明の第１の実施の形態によるアンテナモジュール収納構造でＲＦアンテナモジュール３２を側板３１ａに収納する際に、各部品を側板３１ａの背面側から見た一部拡大斜視図である。なお、図５において図４と同一または相当する部分には同一符号を付してその説明は省略する。
【００３２】
側板３１ａには溝穴（スリット）４０が形成されている。溝穴４０は間口４０ａを側板３１ａの上端面に有する。間口４０ａは、側板３１ａの厚さＴより薄くて基板３３の厚さｔを収容する幅Ｗ、および、基板３３の長辺側の一辺の長さａを収容する長さＬを有する。基板３３は側板３１ａの厚さＴよりも薄い厚さｔをしている。また、溝穴４０は、基板３３の短辺側の他辺の長さｂ以上の深さＤを有する。溝穴４０のこの深さＤは、側板３１ａにおけるＲＦアンテナモジュール３２の高さ方向の配置位置に応じて設定される。本実施の形態では、深さＤは他辺の長さｂと等しく設定されている。
【００３３】
ＲＦアンテナモジュール３２は、側板３１ａの上方から、側板３１ａの上端面に形成された溝穴４０の間口４０ａに基板３３の長辺側の一辺を差し入れ、基板３３の短辺側の他辺の長さｂ以上、基板３３を溝穴４０に差し込むことで、筐体３１の側板３１ａ内に形成された溝穴４０に収められて、筐体３１内に収納される。
【００３４】
本実施の形態では、筐体３１の内部に臨む溝穴４０後方の側板３１ａの背面側が矩形状に切り欠かれることで、溝穴４０に開口部４０ｂが形成されている。ＲＦアンテナモジュール３２は、基板３３の両側端が溝穴４０の対向する側壁に挟持される。開口部４０ｂは、溝穴４０に収容されたＲＦアンテナモジュール３２の一部である金属ケース３６を筐体３１の内部に露出させる。本実施の形態では、開口部４０ｂに露出する金属ケース３６に、板状をしたヒートシンク４１が図５（ｂ）に示すように両面接着テープ４２で貼り付けられる。
【００３５】
図５（ｂ）は、側板３１ａ内に収納されたＲＦアンテナモジュール３２の平面図であり、第１の実施の形態によるアンテナモジュール収納構造を示している。ヒートシンク４１は、開口部４０ｂを挟むその両側端部がネジで側板３１ａの背面に固定される。ヒートシンク４１のこの固定により、ヒートシンク４１は、開口部４０ｂに露出する金属ケース３６を両面接着テープ４２を介して溝穴４０前方の側板３１ａの正面側へ押し付け、ＲＦアンテナモジュール３２の溝穴４０内部での位置を固定している。
【００３６】
溝穴４０に収容されたＲＦアンテナモジュール３２は、正面方向放射アンテナを構成するパッチアンテナ３４により、筐体３１の外部に露出する側板３１ａの正面前方の、矢示する方向Ｆ（図４（ａ）および図５（ｂ）参照）にミリ波の電波を放射する。また、横方向放射アンテナを構成するダイポールアンテナ３５により、側板３１ａの横方向の、矢示する方向Ｓ（図４（ａ）および図５（ｂ）参照）にミリ波の電波を放射する。
【００３７】
図６は、図５（ｂ）に示す第１の実施の形態によるアンテナモジュール収納構造で筐体３１に収納されたＲＦアンテナモジュール３２と、図５（ｃ）に示す従来のアンテナモジュール収納構造で筐体３１に収納されたＲＦアンテナモジュール３２との各アンテナ特性を比較して示す指向性図である。図５（ｃ）に示す従来構造は、ＲＦアンテナモジュール３２が、溝穴４０に収納されずに、その前面側が両面接着テープ４３で側板３１ａの背面に接着固定されて筐体３１内に収納される点だけが、図５（ｂ）に示す第１の実施の形態による構造と相違する。
【００３８】
図６（ａ）は、正面方向放射アンテナを構成するパッチアンテナ３４の正面方向アンテナ放射パターンを第１の実施の形態と従来とで比較する指向性図、図６（ｂ）は、横方向放射アンテナを構成する基板３３の右側端にあるダイポールアンテナ３５の横方向アンテナ放射パターンを第１の実施の形態と従来とで比較する指向性図である。これら各指向性図において、実線で示す特性線Ａは第１の実施の形態によるアンテナモジュール収納構造、点線で示す特性線Ｂは従来のアンテナモジュール収納構造における指向性を示す。
【００３９】
同図（ａ）に示す指向性図から、第１の実施の形態によるアンテナモジュール収納構造におけるパッチアンテナ３４の、正面方向への特性線Ａに表される電波放射レベルは、従来のアンテナモジュール収納構造におけるパッチアンテナ３４の、特性線Ｂに表されるものより、高くなっていることが理解される。また、同図（ｂ）に示す指向性図から、従来のアンテナモジュール収納構造におけるダイポールアンテナ３５の横方向への電波放射レベルは、特性線Ｂに表されるように斜め前側に偏っているが、第１の実施の形態によるアンテナモジュール収納構造におけるダイポールアンテナ３５の横方向への電波放射レベルは、特性線Ａに表されるように９０°の横方向に真っ直ぐ向かう成分が増加している。
【００４０】
このように第１の実施の形態によるアンテナモジュール収納構造によれば、図５（ａ），（ｂ）に示すように、筐体３１の側板３１ａ内に形成された溝穴４０に単にＲＦアンテナモジュール３２を収めるだけで、ＲＦアンテナモジュール３２は筐体３１内に収納される。このため、図５（ｃ）に示すように、ＲＦアンテナモジュール３２を筐体３１内に収めるために、図１に示す従来構造のように、ＲＦアンテナモジュール３２を両面接着テープ４３などで筐体３１内の側板３１ａに固定する必要はなくなる。したがって、パッチアンテナ３４と側板３１ａとの間に両面接着テープ４３などによって隙間が空かなくなる。この結果、パッチアンテナ３４から側板３１ａを介して側板３１ａの前方の正面方向Ｆへ放射される電波の強さは隙間によって弱まることがなく、図６（ａ）の指向性図に示されるように、アンテナ特性は向上する。
【００４１】
また、溝穴４０に単にＲＦアンテナモジュール３２を収めるだけで、ＲＦアンテナモジュール３２は筐体３１内に収納されるので、ＲＦアンテナモジュール３２を筐体３１内に取り付ける工数は減る。このため、図３に示される従来構造のように、成形モールドに開設されたキャビティにアンテナモジュールを入れて樹脂で一体成形するような工数をかけることなく、容易かつ迅速にＲＦアンテナモジュール３２を筐体３１内に収納することができる。
【００４２】
また、ＲＦアンテナモジュール３２は筐体３１の側板３１ａ内に形成された溝穴４０に収められ、筐体３１の内部空間に張り出さないため、筐体３１の内部に収納できる装置の収納容量に影響を与えることはない。このため、図２に示す従来構造のように、アンテナモジュールを筐体内に収容することで、アンテナモジュール以外の他の装置を収納することができなくなるといった問題は生じない。
【００４３】
また、第１の実施の形態では、側板３１ａの上端面に形成された溝穴４０の間口４０ａに基板３３の一辺を差し入れ、基板３３の他辺の長さｂ以上基板３３を溝穴４０に差し込むことで、ＲＦアンテナモジュール３２は筐体３１の側板３１ａ内に形成された溝穴４０に容易かつ迅速に収められる。
【００４４】
また、第１の実施の形態では、ＲＦアンテナモジュール３２を溝穴４０の深さＤまで差し込んで溝穴４０に単に収めるだけで、ＲＦアンテナモジュール３２は溝穴の深さ方向における所定の配置位置に収納される。このため、ＲＦアンテナモジュール３２を側板３１ａに取り付ける筐体３１の高さ方向の位置は、ＲＦアンテナモジュール３２を溝穴４０に収める工程を行うだけで自動的に位置決めされ、ＲＦアンテナモジュール３２の筐体３１への組み付けは容易化される。
【００４５】
また、第１の実施の形態では、溝穴４０に形成された開口部４０ｂに露出する金属ケース３６を、溝穴４０前方の側板３１ａの正面側へヒートシンク４１で押し付けることで、ＲＦアンテナモジュール３２は溝穴４０内部でその位置が固定される。金属ケース３６をヒートシンク４１で押し付けることで、ＲＦアンテナモジュール３２は溝穴４０内部でその位置が確実に固定される。しかし、金属ケース３６をヒートシンク４１で押し付けることなく、両面接着テープ４２でヒートシンク４１に接着するだけでも、ＲＦアンテナモジュール３２はヒートシンク４１に支えられて溝穴４０内部でその位置が固定される。また、ＲＦアンテナモジュール３２をこのようにヒートシンク４１に固定することで、ＲＦアンテナモジュール３２に発生する熱をヒートシンク４１から逃がすことができる。
【００４６】
また、図５（ｃ）に示すように、ＲＦアンテナモジュール３２を両面接着テープ４３などで側板３１ａの背面に固定して筐体３１内に収納する従来のアンテナモジュール収納構造では、ダイポールアンテナ３５が形成される基板３３の側端前方には側板３１ａが存在し、基板３３の側端後方には空間が存在する。このため、基板３３の側端の前後には基板３３の側端を中心に誘電率が異なる物質が非対称に存在する。したがって、ダイポールアンテナ３５から側板３１ａの横方向Ｓに放射される電波は、図６（ｂ）の指向性図における特性線Ｂに示されるように、側板３１ａの横方向に沿って直進せず、側板３１ａの前方向に偏って伝播する。
【００４７】
しかし、基板３３が側板３１ａに形成された溝穴４０に収納される図５（ｂ）に示す第１の実施の形態の収納構造によれば、ダイポールアンテナ３５が形成される基板３３の側端の前後には側板３１ａが等しく存在し、基板３３の側端を中心に誘電率が同じ物質が対称に存在する。したがって、ダイポールアンテナ３５から側板３１ａの横方向Ｓに放射される電波は、図６（ｂ）の指向性図における特性線Ａに示されるように、側板３１ａの前方向に偏り難くなり、側板３１ａの横方向に沿って伝播する成分が増加する。この結果、ダイポールアンテナ３５の横方向アンテナ特性が向上する。
【００４８】
次に、本発明の第２，第３の実施の形態によるアンテナモジュール収納構造について、説明する。
【００４９】
図７（ａ）は、第２の実施の形態によるアンテナモジュール収納構造を示す平面図である。なお、図７において図５（ｂ）と同一または相当する部分には同一符号を付してその説明は省略する。
【００５０】
第２の実施の形態によるアンテナモジュール収納構造は、溝穴４０前方の正面側の側板３１ａの肉厚Ｔ１が、筐体３１の内部側で削がれて薄く形成され、溝穴４０の前方に矩形状の溝５１が形成されている点だけが、上述の第１の実施の形態によるアンテナモジュール収納構造と相違する。
【００５１】
本構成によれば、溝穴４０前方の側板３１ａの正面側の肉厚Ｔ１を筐体３１の内部側で削ぐ量を調節し、基板３３の前面に形成されたパッチアンテナ３４と基板３３の前方に存在する側板３１ａとの間の距離ｄ、および、基板３３の前方に存在する側板３１ａの厚さＴ１を調整することで、パッチアンテナ３４が側板３１ａの正面前方へ放射する電波のビーム幅および放射電力レベルを所望のものに設定することができ、アンテナ特性が良好なものとなる。
【００５２】
図７（ｂ）は、第３の実施の形態によるアンテナモジュール収納構造を示す平面図である。
【００５３】
第３の実施の形態によるアンテナモジュール収納構造は、溝穴４０前方の正面側の側板３１ａの肉厚Ｔ２が、筐体３１の外部側で削がれて薄く形成され、側板３１ａの前面に矩形状の溝５２が形成されている点だけが、上述の第１の実施の形態によるアンテナモジュール収納構造と相違する。
【００５４】
本構成によれば、溝穴４０前方の側板３１ａの正面側の肉厚Ｔ２を筐体３１の外部側で削ぐ量を調節し、基板３３の前面に形成されたパッチアンテナ３４の前方に存在する側板３１ａの厚さＴ２を調整することで、パッチアンテナ３４が側板３１ａの正面前方へ放射する電波のビーム幅および放射電力レベルを所望のものに設定することができ、アンテナ特性が良好なものとなる。
【００５５】
なお、上記の各実施の形態では、側板３１ａに形成される溝穴４０は、図５（ａ）に示すように、間口４０ａが側板３１ａの上端面に開口している場合について、説明した。しかし、図８に示すように、間口４０ａが側板３１ａの側端面に開口するように、溝穴４０Ａを形成してもよい。
【００５６】
図８は、上記の各実施の形態によるアンテナモジュール収納構造の変形例において、ＲＦアンテナモジュール３２を側板３１ａに収納する際に、各部品を側板３１ａの背面側から見た一部拡大斜視図である。なお、図８において図５（ａ）と同一または相当する部分には同一符号を付してその説明は省略する。
【００５７】
溝穴４０Ａが有する間口４０ａは、側板３１ａの厚さＴより薄くて基板３３の厚さｔを収容する幅Ｗ、および、基板３３の短辺側の一辺の長さｂを収容する長さＬを有する。また、溝穴４０Ａは、基板３３の長辺側の他辺の長さａ以上の深さＤを有する。溝穴４０Ａのこの深さＤは、側板３１ａにおけるＲＦアンテナモジュール３２の幅方向の配置位置に応じて設定される。
【００５８】
ＲＦアンテナモジュール３２は、側板３１ａの側方から、側板３１ａの側端面に形成された溝穴４０Ａの間口４０ａに基板３３の短辺側の一辺を差し入れ、基板３３の長辺側の他辺の長さａ以上、基板３３を溝穴４０Ａに差し込むことで、筐体３１の側板３１ａ内に形成された溝穴４０Ａに収められて、筐体３１内に収納される。また、開口部４０ｂに露出する金属ケース３６に、板状をしたヒートシンク４１Ａが両面接着テープ４２で貼り付けられる。ヒートシンク４１Ａは、開口部４０ｂを挟むその上下端部がネジで側板３１ａの背面に固定され、開口部４０ｂに露出する金属ケース３６を側板３１ａの正面側へ押し付け、ＲＦアンテナモジュール３２の溝穴４０Ａ内部での位置を固定する。
【００５９】
このような変形例によるアンテナモジュール収納構造によっても、上記の各実施の形態によるアンテナモジュール収納構造と同様な作用効果が奏される。
【産業上の利用可能性】
【００６０】
本発明によるアンテナモジュール収納構造は、ミリ波の電波で高速に無線ＬＡＮ通信を行うワイヤレスドックの筐体にＲＦアンテナモジュールを収納する際などに、利用することができる。この無線ＬＡＮ通信は、ＷiＧｉｇ規格の下、ビームフォーミングにより放射電波に方向性を持たせて、近距離の機器間で行われる。
【符号の説明】
【００６１】
３１…筐体
３１ａ…側板
Ｔ，Ｔ１，Ｔ２…側板３１ａの厚さ
３２…ＲＦアンテナモジュール
３３…基板
ａ…基板３３の一辺（他辺）の長さ
ｂ…基板３３の他辺（一辺）の長さ
ｔ…基板３３の厚さ
３４…パッチアンテナ（正面方向放射アンテナ）
３５…ダイポールアンテナ（横方向放射アンテナ）
３６…金属ケース
４０，４０Ａ…溝穴
４０ａ…間口
４０ｂ…開口部
Ｗ…間口４０ａの幅
Ｌ…間口４０ａの長さ
Ｄ…溝穴４０，４０Ａの深さ
４１，４１Ａ…ヒートシンク
４２,４３…両面接着テープ
５１，５２…溝
【図１】
2016059961.tif 000003
【図２】
2016059961.tif 000004
【図３】
2016059961.tif 000005
【図４】
2016059961.tif 000006
【図５】
2016059961.tif 000007
【図６】
2016059961.tif 000008
【図７】
2016059961.tif 000009
【図８】
2016059961.tif 000010
【国際調査報告】
2016059961.tif 000011
2016059961.tif 000012